(57)【要約】【課題】画像の内容を判別不能とし、併せて印刷済み面の判別を容易に行うこと。【解決手段】裏紙印刷の設定が行われると、給紙カセット３００からプリンター部の印刷機構部１０５までの用紙（裏紙２００ａ又は用紙２００）の搬送路１０９ａ上に配置された裏紙印刷用スキャナー１１０が裏紙２００ａの画像を読み取る。画像認識処理部は、裏紙印刷用スキャナー１１０が読み取った画像データから画像の有無を認識し、画像有りの場合は画像の内容に応じて黒ベタパターン又はウォーターマークの形成処理を行う。そして、システム制御部は、画像認識処理部による黒ベタパターン又はウォーターマークの形成処理が終了すると、プリンター部に対し、裏紙２００ａの印刷済み面に対する黒ベタパターン又はウォーターマークの印刷を指示する。【選択図】図１
2016224166.tif 000002
【特許請求の範囲】
【請求項１】
用紙に対して印刷を行う印刷機構部を有するプリンター部と、
給紙カセットから前記印刷機構部までの用紙の搬送路上に配置され、裏紙印刷の設定が行われた際、裏紙の画像を読み取る裏紙印刷用スキャナーと、
前記裏紙印刷用スキャナーが読み取った画像データから画像の有無を認識し、画像有りの場合は画像の内容に応じて不可視化パターン又はウォーターマークの形成処理を行う画像認識処理部と、
前記画像認識処理部による不可視化パターン又はウォーターマークの形成処理が終了すると、前記プリンター部に対し、前記裏紙の印刷済み面に対する前記不可視化パターン又はウォーターマークの印刷を指示するシステム制御部とを備える
ことを特徴とする画像形成装置。
【請求項２】
前記画像認識処理部は、文字認識により、個人情報の文字列及び／又は機密情報の文字列を認識すると、前記個人情報の文字列及び／又は機密情報の文字列に対し、前記不可視化パターンの形成処理を行うことを特徴とする請求項１に記載の画像形成装置。
【請求項３】
前記画像認識処理部は、画像認識により、個人の顔画像を認識すると、前記個人の顔画像に対し、不可視化パターンの形成処理を行うことを特徴とする請求項１又は２に記載の画像形成装置。
【請求項４】
前記画像認識処理部は、画像認識により、前記個人の顔画像の周囲に文字列が有ると認識すると、認識した前記文字列に対し、不可視化パターンの形成処理を行うことを特徴とする請求項３に記載の画像形成装置。
【請求項５】
前記画像認識処理部は、前記個人情報の文字列及び前記機密情報の文字列と、前記個人の顔画像とを認識しないとき、前記裏紙の印刷済み面に対し、前記ウォーターマークの形成処理を行うことを特徴とする請求項２〜４のいずれか一項に記載の画像形成装置。
【発明の詳細な説明】
【技術分野】
【０００１】
本発明は、原稿を読み取って画像データを生成する画像形成装置に関する。
【背景技術】
【０００２】
プリンター、多機能プリンター、複合機などのＭＦＰ（Ｍｕｌｔｉｆｕｎｃｔｉｏｎ  Ｐｅｒｉｐｈｅｒａｌ）である画像形成装置においては、省資源化の観点から、裏紙を利用することがある。
【０００３】
この場合、未使用面側に印刷を行うことになるが、印刷後の用紙を確認するとき、どちらの面に印刷が行われたのか分からなくなってしまうことがある。また、印刷済み面に個人情報や、社外秘及び部外秘などの機密情報が印刷されている用紙を裏紙として利用すると、個人情報や機密情報が外部に漏れてしまうことがある。また、個人情報や機密情報が印刷されている用紙を裏紙として使用せずにシュレッダーなどを利用して廃棄すると、省資源化の効果が薄れてしまうことになる。
【０００４】
このような不具合を解消するものとして、特許文献１では、作像済用紙の個人情報や機密情報とされた文字列に対し、黒ベタパターンを形成することで、個人情報や機密情報を判読不能又は判読困難とした作像済用紙処理装置を提案している。
【先行技術文献】
【特許文献】
【０００５】
【特許文献１】特開２００１−２２８７５１
【発明の概要】
【発明が解決しようとする課題】
【０００６】
上述した特許文献１の作像済用紙処理装置では、個人情報や機密情報の文字列上に黒ベタパターンを形成するので、個人情報や機密情報を確実に判読不能又は判読困難とすることができる。
【０００７】
ところが、この作像済用紙処理装置では、個人情報や機密情報の文字列に対してのみ黒ベタパターンを形成することから、作像済用紙に個人情報や機密情報の文字列が無いと、黒ベタパターンが形成されないことになる。
【０００８】
この場合、作像済用紙を裏紙として利用するとき、作像後において、どちらの面に印刷が行われたのか分からなくなってしまう、という問題があった。
【０００９】
本発明は、このような状況に鑑みてなされたものであり、上記問題点を解消することができる画像形成装置を提供することを目的とする。
【課題を解決するための手段】
【００１０】
本発明の画像形成装置は、用紙に対して印刷を行う印刷機構部を有するプリンター部と、給紙カセットから前記印刷機構部までの用紙の搬送路上に配置され、裏紙印刷の設定が行われた際、裏紙の画像を読み取る裏紙印刷用スキャナーと、前記裏紙印刷用スキャナーが読み取った画像データから画像の有無を認識し、画像有りの場合は画像の内容に応じて不可視化パターン又はウォーターマークの形成処理を行う画像認識処理部と、前記画像認識処理部による不可視化パターン又はウォーターマークの形成処理が終了すると、前記プリンター部に対し、前記裏紙の印刷済み面に対する前記不可視化パターン又はウォーターマークの印刷を指示するシステム制御部とを備えることを特徴とする。
また、前記画像認識処理部は、文字認識により、個人情報の文字列及び／又は機密情報の文字列を認識すると、前記個人情報の文字列及び／又は機密情報の文字列に対し、前記不可視化パターンの形成処理を行うことを特徴とする。
また、前記画像認識処理部は、画像認識により、個人の顔画像を認識すると、前記個人の顔画像に対し、不可視化パターンの形成処理を行うことを特徴とする。
また、前記画像認識処理部は、画像認識により、前記個人の顔画像の周囲に文字列が有ると認識すると、認識した前記文字列に対し、不可視化パターンの形成処理を行うことを特徴とする。
また、前記画像認識処理部は、前記個人情報の文字列及び前記機密情報の文字列と、前記個人の顔画像とを認識しないとき、前記裏紙の印刷済み面に対し、前記ウォーターマークの形成処理を行うことを特徴とする。
本発明の画像形成装置では、裏紙印刷の設定が行われると、給紙カセットからプリンター部の印刷機構部までの用紙の搬送路上に配置された裏紙印刷用スキャナーが裏紙の画像を読み取る。画像認識処理部は、裏紙印刷用スキャナーが読み取った画像データから画像の有無を認識し、画像有りの場合は画像の内容に応じて不可視化パターン又はウォーターマークの形成処理を行う。そして、システム制御部は、画像認識処理部による不可視化パターン又はウォーターマークの形成処理が終了すると、プリンター部に対し、裏紙の印刷済み面に対する不可視化パターン又はウォーターマークの印刷を指示する。
このように、画像認識処理部が画像の内容に応じて不可視化パターンの形成処理を行うと、裏紙の印刷済み面に不可視化パターンが印刷されることで、画像の内容が判別不能となる。また、画像認識処理部が画像の内容に応じてウォーターマークの形成処理を行うと、裏紙の印刷済み面にウォーターマークが印刷さることで、印刷後の裏紙を確認するとき、印刷済み面の判別が容易となる。
【発明の効果】
【００１１】
本発明の画像形成装置によれば、画像認識処理部が画像の内容に応じて不可視化パターン又はウォーターマークの形成処理を行うので、画像の内容を判別不能とすることができ、併せて印刷済み面の判別を容易に行うことができる。
【図面の簡単な説明】
【００１２】
【図１】本発明の画像形成装置をＭＦＰに適用した場合の一実施形態を示す図である。
【図２】図１のＭＦＰの内部構成を説明するための図である。
【図３】図１のＭＦＰによる裏紙印刷処理を説明するための図である。
【図４】図１のＭＦＰによる裏紙印刷処理を説明するための図である。
【図５】図１の画像形成装置による裏紙印刷処理を説明するためのフローチャートである。
【発明を実施するための形態】
【００１３】
以下、本発明の画像形成装置の一実施形態を、図１〜図５を参照しながら説明する。なお、以下の説明においての画像形成装置の一例としては、コピー、印刷、スキャナー、ＦＡＸ（Ｆａｃｓｉｍｉｌｅ）などの複数の機能を搭載した複合的な周辺機器であるＭＦＰ（Ｍｕｌｔｉｆｕｎｃｔｉｏｎ  Ｐｅｒｉｐｈｅｒａｌ）であるものとする。
【００１４】
まず、図１に示すように、ＭＦＰ１００のＭＦＰ本体１０１の上部には、排紙トレイ１０２、手差しトレイ１０３、パネル部１０４が設けられている。手差しトレイ１０３にセットされた用紙２００は、搬送路１０９ｄ上に配置された搬送ローラー１０８ｃ後述の印刷機構部１０５側に搬送される。
【００１５】
ＭＦＰ本体１０１の内部には、感光ドラムなどを有する印刷機構部１０５が配置されている。印刷機構部１０５の下方には、複数の裏紙２００ａ又は用紙２００を収容する複数の給紙カセット３００が上下に重ねて配置されている。また、これらの給紙カセット３００は、ＭＦＰ本体１０１に対して着脱自在とされている。また、それぞれの給紙カセット３００には、下段の給紙カセット３００から給紙される裏紙２００ａ又は用紙２００の共有搬送路３００ａが設けられている。
【００１６】
また、ＭＦＰ本体１０１の内部には、繰り出しローラー１０６、搬送ローラー１０７が設けられている。なお、これらの繰り出しローラー１０６、搬送ローラー１０７は、それぞれの給紙カセット３００の装着位置に対応させて配置されている。
【００１７】
また、ＭＦＰ本体１０１の内部には、それぞれの給紙カセット３００の共有搬送路３００ａから印刷機構部１０５まで延びる搬送路１０９ａが設けられている。また、給紙カセット３００と印刷機構部１０５との間の搬送路１０９ａ上には、裏紙印刷用スキャナー１１０が配置されている。この裏紙印刷用スキャナー１１０は、後述の裏紙印刷の設定が行われた際、給紙カセット３００から搬送される裏紙２００ａの一面側の画像を読み取るものである。なお、裏紙印刷用スキャナー１１０については、裏紙２００ａの一面側の画像を読み取るものに限らず、裏紙２００ａの両面を同時に読み取るものであってもよい。また、給紙カセット３００と印刷機構部１０５との間の搬送路１０９ａ上には、搬送ローラー１０８ａが配置されている。
【００１８】
また、印刷機構部１０５と後述の反転機構部１２０との間の搬送路１０９ｂ上には、搬送ローラー１０８ｂが配置されている。なお、搬送路１０９ｂは、搬送路１０９ａに連続している。これにより、裏紙印刷用スキャナー１１０は、反転機構部１２０によって反転された裏紙２００ａの他面側の画像を読み取ることができる。
【００１９】
給紙カセット３００には、ＭＦＰ本体１０１の内部に設けられているリフト部材１１１により、繰り出しローラー１０６に対向する箇所が押し上げられるリフト板３０１が設けられている。そして、リフト板３０１がリフト部材１１１により押し上げられると、リフト板３０１上の用紙２００の先端部分が繰り出しローラー１０６に押し付けられる。これにより、給紙カセット３００内の用紙２００が繰り出しローラー１０６により、１枚ずつ繰り出される。なお、図１では、最上段の給紙カセット３００に裏紙２００ａが収容され、他の給紙カセット３００には未使用の用紙２００が収容されている場合を示している。
【００２０】
ＭＦＰ本体１０１の側面には、反転機構部１２０及びトレイホルダー１２１が設けられている。反転機構部１２０は、裏紙２００ａ又は用紙２００の印刷面（印刷済みの面）を反転させ、搬送路１０９ｃに送り出す。この反転機構部１２０により、印刷面が反転することで、用紙２００の両面印刷が可能となる。また、この反転機構部１２０により、印刷面が反転することで、詳細は後述するが、裏紙２００ａの未使用面への印刷が可能となる。
【００２１】
トレイホルダー１２１には、複数の排紙トレイ１２２ａ〜１２２ｆが取り付けられている。そして、印刷機構部１０５により印刷された裏紙２００ａ又は用紙２００は、トレイホルダー１２１により、いずれかの排紙トレイ１２２ａ〜１２２ｆに振り分けられる。
【００２２】
次に、図２を参照し、ＭＦＰ１００の制御系の構成について説明する。ＭＦＰ１００は、制御部１３０、スキャナー部１５０、プリンター部１５１、ＦＡＸ（Ｆａｃｓｉｍｉｌｅ）部１５２、裏紙印刷用スキャナー１１０、パネル部１０４、反転機構部１２０、ＨＤＤ（Ｈａｒｄ  ｄｉｓｋ  ｄｒｉｖｅ）１５４を備えている。
【００２３】
スキャナー部１５０は、イメージセンサー（図示省略）が読み取った原稿（図示省略）の画像データを制御部１３０に入力する。すなわち、スキャナー部１５０は、イメージセンサー（図示省略）からの原稿（図示省略）の画像信号をデジタルの画像データに変換し、順次、制御部１３０に入力する。
【００２４】
プリンター部１５１は、上述した印刷機構部１０５を有し、制御部１３０から出力される画像データに基づき、裏紙２００ａ又は用紙２００上に画像を印刷する。ＦＡＸ部１５２は、制御部１３０から出力される画像データを、電話回線を通じ相手方となるファクシミリへと送信し、また、相手方ファクシミリからの画像データを受信して制御部１３０に入力する。
【００２５】
裏紙印刷用スキャナー１１０は、上述したように、後述の裏紙印刷の設定が行われた際、最上段の給紙カセット３００から搬送される裏紙２００ａの画像を読み取る。パネル部１０４は、ＭＦＰ１００のプリンター機能、ＦＡＸ機能、スキャン機能のいずれかの選択や、各種設定を行うための操作ボタンなどを表示する。また、パネル部１０４は、両面印刷の設定や、裏紙印刷の設定を行うための操作ボタンなどを表示する。
【００２６】
反転機構部１２０は、上述したように、裏紙２００ａ又は用紙２００の印刷面を反転させ、搬送路１０９ｃに送り出す。この反転機構部１２０により、印刷面が反転することで、用紙２００の両面印刷が可能となる。また、この反転機構部１２０により、印刷面が反転することで、裏紙２００ａの未使用面への印刷が可能となる。ＨＤＤ１５４には、ＭＦＰ１００の種々の機能を提供するためのアプリケーションプログラムなどが記憶されている。また、ＨＤＤ１５４には、ユーザーボックスなどが設けられている。
【００２７】
制御部１３０は、ＭＦＰ１００全体の動作を制御するプロセッサーであり、スキャナー制御部１３１、プリンター制御部１３２、ＦＡＸ制御部１３３、ＲＡＭ（Ｒａｎｄｏｍ  Ａｃｃｅｓｓ  Ｍｅｍｏｒｙ）１３４、ＲＯＭ（Ｒｅａｄ  Ｏｎｌｙ  Ｍｅｍｏｒｙ）１３５、裏紙印刷用スキャナー制御部１３６、画像認識処理部１３７、パネル操作制御部１３８、反転機構制御部１３９、ＨＤＤ制御部１４０、システム制御部１４１を備えている。また、これらは、データバス１４２に接続されている。
【００２８】
スキャナー制御部１３１は、スキャナー部１５０の読み取り動作を制御する。プリンター制御部１３２は、プリンター部１５１の印刷動作を制御する。ＦＡＸ制御部１３３は、ＦＡＸ部１５２による画像データの送受信動作を制御する。
【００２９】
ＲＡＭ１３４は、プログラムを実行するためのワークメモリである。ＲＯＭ１３５には、各部の動作チェックなどを行う制御プログラムなどが記憶されている裏紙印刷用スキャナー制御部１３６は、給紙カセット３００から搬送される裏紙２００ａの画像を読み取る。
【００３０】
裏紙印刷用スキャナー制御部１３６は、パネル部１０４によって裏紙印刷が設定された際、裏紙印刷用スキャナー１１０により、裏紙２００ａの画像を読み取らせる。画像認識処理部１３７は、スキャナー部１５０によって読み取られた裏紙２００ａの画像データに対する画像処理を行う。また、画像認識処理部１３７は、裏紙印刷用スキャナー１１０が読み取った画像データから画像の有無を認識する。また、画像認識処理部１３７は、詳細は後述するが、裏紙印刷用スキャナー１１０が読み取った画像データから画像が有ると認識すると、その画像の文字認識及び画像認識を行い、後述の黒ベタパターン２０３（不可視化パターンの一例）の形成処理や、ウォーターマーク２０４の形成処理を行う。
【００３１】
パネル操作制御部１３８は、パネル部１０４の表示動作を制御する。反転機構制御部１３９は、パネル部１０４によって両面印刷又は裏紙印刷の設定が行われると、反転機構部１２０を制御し、裏紙２００ａ又は用紙２００を反転させて印刷機構部１０５側に送り出す。なお、反転機構制御部１３９は、裏紙印刷の設定が行われた際、印刷開始前に裏紙印刷用スキャナー１１０が読み取った画像データに画像が無ければ、反転機構部１２０を制御し、印刷機構部１０５によって印刷された裏紙２００ａをトレイホルダー１２１側に送り出す。
【００３２】
ＨＤＤ制御部１４０は、ＨＤＤ１５４に対するデータの書き込みや読み出しなどを制御する。システム制御部１４１は、各部の連係動作を制御する。
【００３３】
次に、図３及び図４を参照し、画像認識処理部１３７による、黒ベタパターン２０３の形成処理や、ウォーターマーク２０４の形成処理について説明する。
【００３４】
まず、図３（ａ）は、裏紙印刷用スキャナー１１０が読み取った裏紙２００ａの画像を示している。ここで、画像認識処理部１３７は、画像が有ると認識すると、その画像の文字認識を行う。画像認識処理部１３７は、文字認識の結果、個人情報の文字列２０１や機密情報の文字列２０２が有ることを認識すると、図３（ｂ）に示すように、個人情報の文字列２０１及び機密情報の文字列２０２に対し、黒ベタパターン２０３の形成処理を行う。これにより、個人情報の文字列２０１及び機密情報の文字列２０２が判別不能とされる。
【００３５】
また、画像認識処理部１３７は、図３（ｃ）に示すように、文字認識を行っても個人情報の文字列２０１や機密情報の文字列２０２を認識しなければ、図３（ｄ）に示すように、裏紙２００ａの右上などに対し、ウォーターマーク２０４の形成処理を行う。これにより、
印刷後の裏紙２００ａを確認するとき、どちらの面に印刷が行われたのかが容易に分かる。なお、ウォーターマーク２０４については、図３（ｄ）に示すように、裏紙２００ａの右上に限るものではなく、裏紙２００ａの中央などのように任意の箇所であってもよい。
【００３６】
また、画像認識処理部１３７は、図４（ａ）に示すように、画像が有ると認識すると、その画像の画像認識を行う。画像認識処理部１３７は、画像認識の結果、個人の顔画像２０５などが有ることを認識すると、図４（ｂ）に示すように、個人の顔画像２０５に対し、黒ベタパターン２０３の形成処理を行う。これにより、個人の顔画像２０５が判別不能とされる。
【００３７】
なお、画像認識処理部１３７は、図４（ａ）に示すように、個人の顔画像２０５の周囲に文字列２０６が有ると認識した場合、図４（ｃ）に示すように、その文字列２０６に対し、黒ベタパターン２０３の形成処理を行うようにしてもよい。これにより、さらに、個人に関わる情報が判別不能となる。また、画像認識処理部１３７は、個人の顔画像２０５などを認識しない場合、図３（ｄ）のように、ウォーターマーク２０４の形成処理を行う。
【００３８】
次に、図５を参照し、裏紙印刷処理の動作について説明する。なお、以下の説明においては、上段の給紙カセット３００に裏紙２００ａが収容されているものとする。
【００３９】
（ステップＳ１０１）
まず、システム制御部１４１は、パネル部１０４を介し、裏紙印刷の設定が行われたかどうかを判断する。システム制御部１４１は、裏紙印刷の設定が行われるまで待ち（ステップＳ１０１：Ｎｏ）、裏紙印刷の設定が行われたと判断すると（ステップＳ１０１：Ｙｅｓ）、ステップＳ１０２に移る。
【００４０】
（ステップＳ１０２）
次に、システム制御部１４１は、図示しない駆動機構を制御し、裏紙２００ａが収容されている給紙カセット３００から裏紙２００ａを搬送させる。このとき、給紙カセット３００内の裏紙２００ａが繰り出しローラー１０６により１枚ずつ繰り出され、共有搬送路３００ａから搬送路１０９ａへと搬送される。
【００４１】
（ステップＳ１０３）
次に、システム制御部１４１は、裏紙印刷用スキャナー制御部１３６に対して裏紙印刷用スキャナー１１０による読み取りを制御し、裏紙印刷用スキャナー１１０による読み取りが行われたかどうかを判断する。システム制御部１４１は、裏紙印刷用スキャナー１１０による読み取りが行われるまで待ち（ステップＳ１０３：Ｎｏ）、裏紙印刷用スキャナー１１０による読み取りが行われたと判断すると（ステップＳ１０３：Ｙｅｓ）、ステップＳ１０４に移る。
【００４２】
（ステップＳ１０４）。
次に、システム制御部１４１は、画像が有るかどうかを判断する。この場合、画像認識処理部１３７は、裏紙印刷用スキャナー１１０が読み取った画像データから画像の有無を認識する。システム制御部１４１は、画像認識処理部１３７が画像有りと認識すると、画像が有ると判断し（ステップＳ１０４：Ｙｅｓ）、ステップＳ１０５に移る。これに対し、システム制御部１４１は、画像認識処理部１３７が画像無しと認識すると、画像が無いと判断し（ステップＳ１０４：Ｎｏ）、ステップＳ１１２に移る。
【００４３】
（ステップＳ１０５）
次に、システム制御部１４１は、画像認識処理部１３７に対し、文字認識を行わせる。この場合、画像認識処理部１３７は、裏紙印刷用スキャナー１１０が読み取った画像データの画像の文字認識を行う。
【００４４】
（ステップＳ１０６）
画像認識処理部１３７は、個人情報の文字列が有るかどうかを判断する。画像認識処理部１３７は、個人情報の文字列が有ると判断すると（ステップＳ１０６：Ｙｅｓ）、ステップＳ１０７に移る。これに対し、画像認識処理部１３７は、個人情報の文字列が無いと判断すると（ステップＳ１０６：Ｎｏ）、ステップＳ１０８に移る。
【００４５】
（ステップＳ１０７）
画像認識処理部１３７は、図３（ｂ）に示したように、個人情報の文字列に黒ベタパターン２０３を形成する。
【００４６】
（ステップＳ１０８）
画像認識処理部１３７は、機密情報の文字列が有るかどうかを判断する。画像認識処理部１３７は、機密情報の文字列が有ると判断すると（ステップＳ１０８：Ｙｅｓ）、ステップＳ１０９に移る。これに対し、画像認識処理部１３７は、個人情報の文字列が無いと判断すると（ステップＳ１０８：Ｎｏ）、ステップＳ１１３に移る。
【００４７】
（ステップＳ１０９）
画像認識処理部１３７は、図３（ｂ）に示したように、機密情報の文字列に黒ベタパターン２０３を形成する。
【００４８】
（ステップＳ１１０）
システム制御部１４１は、画像認識処理部１３７による黒ベタパターン２０３の形成処理が終了すると、プリンター制御部１３２に対して印刷を指示する。この場合、プリンター制御部１３２は、画像認識処理部１３７からの画像処理された印刷データに基づき、印刷機構部１０５を有するプリンター部１５１による印刷済み面への黒ベタパターン２０３の印刷処理を行う。
【００４９】
（ステップＳ１１１）
システム制御部１４１は、プリンター制御部１３２による黒ベタパターン２０３の印刷処理が終了すると、反転機構部１２０を制御し、裏紙２００ａの印刷済み面を反転させる。そして、印刷済み面が反転した裏紙２００ａは、搬送路１０９ｃに沿って印刷機構部１０５を有するプリンター部１５１へと搬送される。
【００５０】
（ステップＳ１１２）
搬送路１０９ｃに沿って裏紙２００ａが搬送されると、印刷機構部１０５を有するプリンター部１５１が用紙２００の未使用面への印刷処理を行う。ここで印刷される画像データは、ＨＤＤ１５４のユーザーボックスに記憶されているデータであってもよいし、携帯端末からＭＦＰ１００に送信したデータであってもよい。いずれも、パネル部１０４からの設定により、印刷されるデータを選択することができる。
【００５１】
（ステップＳ１１３）
システム制御部１４１は、ステップＳ１０８において、機密情報が無いと判断すると、顔画像が有るかどうかを判断する。この場合、システム制御部１４１は、画像認識処理部１３７が裏紙印刷用スキャナー１１０が読み取った画像データから顔画像が有ると認識すると、顔画像が有ると判断し（ステップＳ１１３：Ｙｅｓ）、ステップＳ１１４に移る。これに対し、システム制御部１４１は、画像認識処理部１３７が裏紙印刷用スキャナー１１０が読み取った画像データから顔画像が有ると認識しなければ、顔画像が無いと判断し（ステップＳ１１３：Ｎｏ）、ステップＳ１１５に移る。
【００５２】
（ステップＳ１１４）
画像認識処理部１３７は、図４（ａ）（ｂ）に示したように、個人の顔画像２０５に対し、黒ベタパターン２０３を形成する。この場合、画像認識処理部１３７は、上述したように、個人の顔画像２０５の周囲に文字列２０６（例えば、顔画像２０５に隣接する段落、特に顔画像２０５の上部又は下部に隣接する段落）が有ると認識した場合、図４（ｃ）に示すように、その文字列２０６に対し、黒ベタパターン２０３を形成してもよい。なお、個人の顔画像２０５に対し、黒ベタパターン２０３を形成した後は、ステップＳ１１０〜ステップＳ１１２の処理に移る。
【００５３】
（ステップＳ１１５）
画像認識処理部１３７は、個人の顔画像２０５を認識しない場合、図３（ｄ）に示したように、裏紙２００ａの右上などに対し、ウォーターマーク２０４を形成する。これにより、印刷後の裏紙２００ａを確認するとき、どちらの面に印刷が行われたのかが容易に分かる。なお、ウォーターマーク２０４については、図３（ｄ）に示したように、裏紙２００ａの右上に限るものではなく、裏紙２００ａの中央などのように任意の箇所であってもよい。なお、ウォーターマーク２０４を形成した後は、ステップＳ１１０〜ステップＳ１１２の処理に移る。
【００５４】
このように、本実施形態では、裏紙印刷の設定が行われると、給紙カセット３００からプリンター部１５１の印刷機構部１０５までの用紙（裏紙２００ａ又は用紙２００）の搬送路１０９ａ上に配置された裏紙印刷用スキャナー１１０が裏紙２００ａの画像を読み取る。画像認識処理部１３７は、裏紙印刷用スキャナー１１０が読み取った画像データから画像の有無を認識し、画像有りの場合は画像の内容に応じて黒ベタパターン２０３又はウォーターマーク２０４の形成処理を行う。そして、システム制御部１４１は、画像認識処理部１３７による黒ベタパターン２０３又はウォーターマーク２０４の形成処理が終了すると、プリンター部１５１に対し、裏紙２００ａの印刷済み面に対する黒ベタパターン２０３又はウォーターマーク２０４の印刷を指示する。
【００５５】
このように、画像認識処理部１３７が画像の内容に応じて黒ベタパターン２０３の形成処理を行うと、裏紙２００ａの印刷済み面に黒ベタパターン２０３が印刷されることで、画像の内容が判別不能となる。
【００５６】
すなわち、画像認識処理部１３７が文字認識により、個人情報の文字列２０１及び／又は機密情報の文字列２０２を認識すると、個人情報の文字列２０１及び／又は機密情報２０２の文字列に対し、黒ベタパターン２０３の形成処理を行うので、個人情報の文字列２０１及び／又は機密情報２０２の文字列を判別不能とすることができる。
【００５７】
また、画像認識処理部１３７が画像認識により、個人の顔画像２０５を認識すると、個人の顔画像２０５に対し、黒ベタパターン２０３の形成処理を行うので、個人の顔画像２０５を判別不能とすることができる。
【００５８】
また、画像認識処理部１３７が画像認識により、個人の顔画像２０５の周囲に文字列２０６が有ると認識すると、認識した文字列２０６に対し、黒ベタパターンの形成処理を行うので、個人の特定をさらに判別不能とすることができる。
【００５９】
また、画像認識処理部１３７が個人情報の文字列２０１及び機密情報の文字列２０２と、個人の顔画像２０５とを認識しないとき、裏紙２００ａの印刷済み面に対し、ウォーターマーク２０４の形成処理を行うので、印刷後の裏紙２００ａを確認するとき、印刷済み面の判別を容易に行うことができる。
【００６０】
なお、画像認識処理部１３７が個人情報の文字列２０１及び機密情報の文字列２０２と、個人の顔画像２０５とを認識したとき、黒ベタパターンとウォーターマーク２０４の形成処理を行ってもよい。
【００６１】
また、上記の実施形態では、不可視化パターンとして黒ベタパターンを用いたが、個人情報の文字列２０１及び／又は機密情報２０２、個人の顔画像２０５、個人の顔画像の周囲等の不可視化が必要な印刷部分を判別不能とすることができれば、他の不可視化パターンを用いてもよい。例えば、不可視化が必要な印刷部分を判別不能にできる程度の模様を不可視化パターンとして用いてもよい。また、不可視化が必要な印刷部分と同じ色のベタパターンを不可視化パターンとして用いてもよい。
【００６２】
また、機密情報の文字列２０２は、単語、文章、または段落とすることができる。例えば、画像認識処理部１３７は、データベースに登録されている機密情報を示すキーワード、そのキーワードを含む文章又は段落を機密情報の文字列２０２として認識してもよい。
【符号の説明】
【００６３】
１００  ＭＦＰ
１０１  本体
１０２  排紙トレイ
１０３  手差しトレイ
１０４  パネル部
１０５  印刷機構部
１０６  繰り出しローラー
１０７  搬送ローラー
１０８ａ〜１０８ｃ  搬送ローラー
１０９ａ〜１０９ｄ  搬送路
１１０  裏紙印刷用スキャナー
１１１  リフト部材
１２０  反転機構部
１２１  トレイホルダー
１２２ａ〜１２２ｆ  排紙トレイ
１３０  制御部
１３１  スキャナー制御部
１３２  プリンター制御部
１３３  ＦＡＸ制御部
１３４  ＲＡＭ
１３５  ＲＯＭ
１３６  裏紙印刷用スキャナー制御部
１３７  画像認識処理部
１３８  パネル操作制御部
１３９  反転機構制御部
１４０  ＨＤＤ制御部
１４１  システム制御部
１４２  データバス
１５０  スキャナー部
１５１  プリンター部
１５２  ＦＡＸ部
１５４  ＨＤＤ
２００  用紙
２００ａ  裏紙
２０１、２０２、２０６  文字列
２０３  黒ベタパターン
２０４  ウォーターマーク
２０５  顔画像
２０６  文字列
３００  給紙カセット
３００ａ  共有搬送路
３０１  リフト板
【図１】
2016224166.tif 000003
【図２】
2016224166.tif 000004
【図３】
2016224166.tif 000005
【図４】
2016224166.tif 000006
【図５】
2016224166.tif 000007